(57)【要約】【課題】  本発明は量産に適し、狭いマンション等の部屋内のインテリアに馴染む提灯加輪を容易に得ることを目的とする。【解決手段】  提灯火袋１の上端及び下端に設けられる曲げ輪２であって、上記曲げ輪２のそれぞれ又は一方に切欠き模様３を形成し、該曲げ輪２の内周面に沿って異色の円弧形板４を接着し、上記切欠き模様３によって異色模様３’を表現してなり、上記切欠き模様が上記曲げ輪の縁部に切欠き形成され又は上記切欠き模様が上記曲げ輪に穿設した切欠き透孔模様である提灯加輪。【選択図】図１
2009123342.tif 000002
【特許請求の範囲】
【請求項１】
提灯火袋の上端及び下端に設けられる曲げ輪であって、
上記曲げ輪のそれぞれ又は一方に切欠き模様を形成し、
該曲げ輪の内周面に沿って異色の円弧形板を接着し、
上記切欠き模様によって異色模様を表現してなる提灯加輪。
【請求項２】
上記曲げ輪が合板又はボール紙による曲げ物であって、外周を塗装し又は外周に色紙を貼着した請求項１記載の提灯加輪。
【請求項３】
上記異色の円弧形板が合板又はボール紙による曲げ物であって外周を塗装し又は色紙を貼着した請求項１又は２記載の提灯加輪。
【請求項４】
上記円弧形板が透光シートである請求項１又は２のいずれかに記載の提灯加輪。
【請求項５】
上記切欠き模様が上記曲げ輪の縁部に切欠き形成された請求項１〜４のいずれかに記載した提灯加輪。
【請求項６】
上記切欠き模様が上記曲げ輪に穿設した切欠き透孔模様である請求項１〜４のいずれかに記載した提灯加輪。
【発明の詳細な説明】
【技術分野】
【０００１】
本発明は提灯の円筒形火袋、球形火袋、棗（なつめ）形火袋等の上蓋及び底板の外周に１体に曲げ輪を設けてなる所謂「提灯加輪」（ちょうちんがわ）に関するものである。
【背景技術】
【０００２】
従来、提灯の拡縮自在火袋の上蓋及び底板の外周に曲げ輪を１体に接着し、外面に黒色又は紅色漆塗装を施してなる上下の提灯加輪（ちょうちんがわ）が用いられた（例えば特許文献１、２、３）。
【０００３】
上記提灯加輪は製造容易で量産に適し、広い開放的和室の佛壇の大形提灯に広く用いられた。
【０００４】
又、火袋の所定装飾シートの表面に絵柄を形取った孔を有する薄い銅板による型を重ね合成樹脂よりなる熱溶融シートを重ねこれを加熱して上記孔内に溶融させて絵柄を装飾シートに貼着させた。
しかし、上記型を上記曲げ輪の外面に利用しても、多くの手数や加熱装置を要し、量産に適しないという問題があった（例えば特許文献４）。
【０００５】
【特許文献１】実開平４−１６８０３号公報
【特許文献２】登録第３０４８８５１号新案公報
【特許文献３】特開２００３−２７２４０３
【特許文献４】特開２０００−１４９６０３
【発明の開示】
【発明が解決しようとする課題】
【０００６】
本発明は量産に適し、狭いマンション等の部屋内のインテリアに馴染む提灯加輪を容易に得ることを目的とする。
【課題を解決するための手段】
【０００７】
上記の目的を達成するため本発明は
第１に提灯火袋の上端及び下端に設けられる曲げ輪であって、上記曲げ輪のそれぞれ又は一方に切欠き模様を形成し、該曲げ輪の内周面に沿って異色の円弧形板を接着し、上記切欠き模様によって異色模様を表現してなる提灯加輪、
第２に上記曲げ輪が合板又はボール紙による曲げ物であって、外周を塗装し又は外周に色紙を貼着した上記第１発明記載の提灯加輪、
第３に上記異色の円弧形板が合板又はボール紙による曲げ物であって外周を塗装し又は色紙を貼着した上記第１又は第２発明記載の提灯加輪、
第４に上記円弧形板が透光シートである上記第１又は第２発明記載の提灯加輪、
第５に上記切欠き模様が上記曲げ輪の縁部に切欠き形成された上記第１〜第４発明のいずれかに記載した提灯加輪、
第６に上記切欠き模様が上記曲げ輪に穿設した切欠き透孔模様である上記第１〜第４発明のいずれかに記載した提灯加輪、
によって構成される。
【０００８】
従って上記切欠き模様からその内面に重層した円弧形板の外面塗装色が上記曲げ輪の外面の色と異なって表現され、又は透光シートを経て内部の灯光による照明色が表現される。
【発明の効果】
【０００９】
本発明は上述のように構成したので提灯火袋の上下端に設けられる曲げ輪に別の明色又は照明による切欠き模様が表現され提灯加輪を華麗に装飾し得るばかりでなく、切欠き模様を形成した上記曲げ輪及び内周面に沿う異色円弧形板をそれぞれ量産し、さらにこれ等を２〜３重に組込み又は貼り付けて豊かで豪華な切欠模様を容易に表現し得る効果がある。
【発明を実施するための最良の形態】
【００１０】
図１に示す円筒形の提灯火袋１及び図２に示す球形又は棗（なつめ）形提灯火袋１’は細い螺施ひごの外周に和紙又は合成樹脂透光シート５を貼り付けて中心線ｃの方向（上下方向）に拡縮自在に形成される。
【００１１】
上記火袋１，１’の上端上蓋６は図４（イ）図に示すように中央に大径透孔７を有する円板であり、下端底板８は図３（ロ）図に示すように中心線ｃ上に電球ソケット挿入孔９を穿設し、その外側に電気コード及びコンセント通過孔１０を穿設した円板であって、上記上蓋６及び底板８は中心線ｃを共有するほぼ同一径の円板であって２枚張り合板６’，８’（厚さｔ約２ｍｍ弱）又は厚紙（ボール紙）によって形成される。
【００１２】
上記上蓋６及び底板８のそれぞれ外周には対向方向に向う２枚張り合板又はボール紙２ａ（厚さｔ約２ｍｍ弱）による曲げ輪２を接着剤によって１体に接着し、曲げ輪２の外周面及び上記上蓋６の上面、底板８の下面に黒色、紅色等の漆塗装又はワニス等の光沢塗装２’を施し、又は塗装に代えて色紙を貼着する。曲げ輪２の内周面、上蓋６の下面及び底板８の上面にはコールタール等の塗装２”を施し、上下端の曲げ輪２，２を形成し、
該曲げ輪２，２にそれぞれ又は一方に曲線模様３を縁部から切欠いて形成し、又図５（ハ）（ニ）図に示すように花柄、葉柄等の透孔を切欠いて切欠き模様３”を形成する。
【００１３】
このように形成した曲げ輪２の内周面に沿って該曲げ輪２とは異色の円弧形板４を重合接着することによって上記切欠き模様３，３”の切欠き部分に異色模様３’を表現することができる。
【００１４】
上記円弧形板４には２枚張り合板又はボール紙２ａ（厚さｔ約２ｍｍ弱）を用い、図３（イ）図、図４（ロ）図に示す曲げ輪４や図５（ロ）図に示すように上記合板又はボール紙２ａによる円弧形の曲げ板４’又は（イ）図に示す透光性和紙や合成樹脂シート４”を用いることができる。
【００１５】
異色とは外側の曲げ輪２が黒色であれば上記内側の円弧形板４’，４”の外面塗装を紅色とし、又は白色の上記透光シート４”とすることによって切欠模様色を曲げ輪２の塗装色と異なる色とするものである。
【００１６】
又上記内側の円弧形板４’や透光シート４”に更に切欠模様を施し、その内側にさらに３重に円弧形板を施すことができる（図示していない）。
【００１７】
上述のように塗装曲げ輪２の内側に２重３重に切欠模様を施すことによって提灯火袋１の上下端の重層曲げ輪２，２や円弧形板４’，４”等による１体の接着上下端塗装曲げ輪２，２又は２，４’等を所謂提灯加輪（ちょうちんがわ）と称する。
【００１８】
尚図１、図２、図６（イ）図中１１は提灯下げ環である。
【産業上の利用可能性】
【００１９】
円筒形火袋１よりなる提灯の加輪（がわ）（所謂「住吉」という）や球状火袋１’よりなる所謂号物加輪（がわ）に異色の切欠模様３’を施すことによって小形であるにもかかわらず、提灯全体を豪華に形成し、部屋内の小形佛壇に用いられる小形提灯加輪（がわ）を華やかに見せることができる。
【図面の簡単な説明】
【００２０】
【図１】本発明の提灯加輪を用いた提灯住吉の正面図である。
【図２】本発明の提灯加輪を用いた提灯号物の正面図である。
【図３】（イ）図は火袋下端の内側塗装曲げ輪の斜視図、（ロ）図は外側塗装曲げ輪の斜視図、（ハ）図は火袋下端の提灯加輪の正面図である。
【図４】（イ）図は火袋上端の外側塗装曲げ輪の斜視図、（ロ）図は異色の内側曲げ輪の斜視図、（ハ）図は火袋上端の提灯加輪の正面図である。
【図５】（イ）図は透光シートによる円弧形板の斜視図、（ロ）図は異色塗装円弧形板の斜視図、（ハ）図は火袋下端の曲げ輪の斜視図、（ニ）図は火袋下端の提灯加輪の正面図である。
【図６】（イ）図は従来の提灯住吉の正面図、（ロ）図は火袋下端の従来の提灯加輪の斜視図、（ハ）図は（ロ）図の正面図である。
【符号の説明】
【００２１】
１                    提灯火袋
２                    塗装曲げ輪
３                    切欠き模様
３’                  異色模様
【図１】
2009123342.tif 000003
【図２】
2009123342.tif 000004
【図３】
2009123342.tif 000005
【図４】
2009123342.tif 000006
【図５】
2009123342.tif 000007
【図６】
2009123342.tif 000008